(57)【要約】【課題】小型でイミュニティーが良く，更に放熱効果が良い電子機器筐体を提供する。【解決手段】電子回路を複数の独立ブロックで構成し，夫々のブロック間をシールドして組み込んだケース本体５１と，当該ケース本体５１を収納するカバー５０とからなる電子機器筐体１において，当該電子機器筐体１の取付け面を底面５０ａとした場合，ケース本体５１の一側面側５１ａに複数の接続端子を敷設するよう構成され，上記各ブロックは，当該ケース本体５１と係止手段によって係止されると共に，当該係止手段部分以外はケース本体５１の底面，上面及び上記一側面以外の側面との間に空間を備える。【選択図】  図５
2004335617.tif 000002
【特許請求の範囲】
【請求項１】
電子回路を複数の独立ブロックで構成し，夫々のブロック間をシールドして組み込んだケース本体と，当該ケース本体を収納するカバーとからなる電子機器筐体において，
当該電子機器筐体の取付け面を底面とした場合，ケース本体の一側面側に複数の接続端子を敷設するよう構成され，
上記各ブロックは，当該ケース本体と係止手段によって係止されると共に，当該係止手段部分以外はケース本体の底面，上面及び上記一側面以外の側面との間に空間を備えたことを特徴とした電子機器筐体。
【発明の詳細な説明】
【０００１】
【発明の属する技術分野】
本発明は，筐体内に収納したケース本体に電子回路を複数の独立ブロックで構成して組込んだ電子機器筐体において，上記ブロックに収納された電子部品のイミュニティーを向上させると共に，放熱を効率化する電子機器筐体に関する。
【０００２】
【従来の技術】
従来の電子機器筐体においては，シールド構造の金属製材料で形成された内ケースの中に，増幅回路や周波数変換回路などが内蔵された高周波ユニットをケース本体に収納させている。この高周波ユニットはケース背面壁の内側に取付けネジ等によって取付けられている。この方法には，上記内ケースを，プリント基板と，そのプリント基板を前面から覆って本体ケースの底面に固定するように構成した方法（例えば，特許文献１参照）や，
内ケースには，プリント基板の裏側（アース面側）にも金属製材料で形成された蓋体を備えさせた高周波ユニットを，本体ケースの底面に固定する方法がある。（例えば，特許文献２参照）
【０００３】
【特許文献１】
特開平２００１−１１１２７３号公報
【特許文献２】
特開平７−２８８３８９号公報
【０００４】
【発明が解決しようとする課題】
ところが，こうした高周波機器は小型で軽量な取付け性の良いものが求められると共に，テレビ受信機器に代表される高周波機器のように，伝送周波数帯域の広帯域化が必要となってきた。例えば従来のＶＨＦ，ＵＨＦ放送からＢＳ・１１０°ＣＳデジタル放送までを，一本の同軸ケーブルで宅内に引き込もうとする場合，７０〜２６００ＭＨｚの周波数帯域を伝送したり，増幅したりする必要がある。更に上記ＢＳ・１１０°ＣＳデジタル放送や，新しく始まるＵＨＦ帯を利用した地上波デジタル放送は，変調方式がデジタルであるため，妨害波があると受信映像に障害が発生する問題がある。このため電子機器筐体のケース本体に取付けられるシールドケースのイミュニティーを良くする必要があった。
しかし，従来の電子機器筐体のように，高周波ユニットをケース本体に取付けるに当たって，参考文献１に示すような，ケース本体の底面側を開放した内ケースでもってシールドする方法は，内ケースをケース本体の底面に固定する係止部が設けられる箇所が限られてくるので，ケース本体と内ケースとの間のシールド特性が良くないと言った問題が有った。
更に，参考文献２に示すような，プリント基板の表面側も裏面側もシールドされた内ケースを，アルミダイキャスト等でできたケース本体に固定する方法では，上記内ケースをケース本体の底面の内側に固定するために，上記内ケースの外周面等を利用して固定部等をもうける必要があった。こうした固定部は内ケースに一体的に形成するのが一般的であり，この結果，内ケースには数箇所の透孔ができることになり，これらによってシールド性が劣化する問題があった。
また，参考文献１に示すような例で電子機器筐体を作ると，プリント基板とケース本体の底面との間に設けた空間が大きいので，プリント基板に装着された電子部品から発生する熱に対する放熱効果は大きいものの，電子機器筐体の外形寸法が大きくなると言った問題もあった。
そこで本発明においては，上記従来の技術の問題点を解決するためになされたものであり，
その目的は，屋外用にも屋内用にも使用可能な電子機器筐体を提供することにある。
他の目的は，屋外用にも屋内用にも使用可能で，イミュニティーの良い電子機器筐体を提供することにある。
他の目的は，電子回路を複数の独立ブロックで構成し，夫々のブロック間をシールドして組み込んだケース本体と，当該ケース本体を収納するカバーとからなる，屋外用にも屋内用にも使用可能な電子機器筐体を提供することにある。
他の目的は，電子回路を複数の独立ブロックで構成し，夫々のブロック間をシールドして組み込んだケース本体と，当該ケース本体を収納するカバーとからなり，ケース本体とブロックとの間に空間を備えた，屋外用にも屋内用にも使用可能な電子機器筐体を提供することにある。
他の目的は，屋外用にも屋内用にも使用可能で，小型で且つ放熱効果の良い電子機器筐体を提供することにある。
【０００５】
【課題を解決するための手段】
上記課題を解決するために，請求項１の発明は信号処理装置の電子回路を複数の独立ブロックで構成し，夫々のブロック間をシールドして組み込んだケース本体と，当該ケース本体を収納するカバーとからなる電子機器筐体において，当該電子機器筐体の取付け面を底面とした場合，ケース本体の一側面側に複数の接続端子を敷設するよう構成され，上記各ブロックは，当該ケース本体と係止手段によって係止されると共に，当該係止手段部分以外はケース本体の底面，上面及び上記一側面以外の側面との間に空間を備えるように構成される。
【０００６】
【発明の実施の形態】
以下に，本発明を具体化した実施形態の例を，図面を基に詳細に説明する。
図１は本発明の電子機器筐体を構成するケース本体と当該ケース本体に収納する電子回路ブロックの配置を示す，取付け面を底面とした分解斜視図である。図２は電子回路ブロックを収納したケース本体の上面図であり，一部を破断した図面である。図３は図２における破断部分の拡大詳細図である。図４は本発明の電子機器筐体の外観図であり，（ａ）は上面図，（ｂ）は側面図である。図５は図４のＡ−Ａ線一部断面図である。
【０００７】
図１において５１はケース本体であり，取付け面を底面として表示してある。ケース本体５１は金属製材料によって図に示すように箱状に形成されており，前面５１ａ側には入力端子２，電源供給端子４，出力端子３が敷設されている。
６０，６１，６２は電子回路を収納した高周波ユニットであり，当該高周波ユニットは上記ケース本体にネジ５４，５４…でもって側面５１ｂ，５１ｂに固着される。
７０は電子回路が形成されたプリント基板であって，１７ｃ，３０は電子部品の一部を示す。当該プリント基板７０は上記ケース本体５１の固着部５６，５６…にネジ７０ａ，７０ａ…でもって固着される。そして，接続端子２，４，３の中心導体と上記プリント基板の信号線とは接続される。
５２は表示板であって，ケース本体の固着部５７にネジ５２ａ，５２ａでもって固着される。この時，表示板５２には，プリント基板に載置された，例えば利得調整回路の調整手段である可変減衰器１７ｃの操作部，スイッチ３０等の操作部と相対抗した位置に操作窓５２ｂ，５２ｃが形成され，当該操作窓５２ｂ，５２ｃから，調整や切替が自在となるように形成されている。
【０００８】
このように高周波ユニット等が収納されたケース本体５１は，図４，５に示すように筐体５０に収納され，ネジ５０ｂ，５０ｂ…でもって固着される。筐体５０は取付け面５０ａを底面とすると，この筐体５０の前面側と上面側の一部が開放された，金属製材料でもって箱状に形成されている。即ち，ケース本体５１を収納すると，接続端子２，４，３が敷設されている前面５１ａと上記表示板５２とが，上記開放部において表出されるように構成されている。更に，上記表示板５２と相対抗する位置には，上記筐体５０に開閉自在に蝶着された蓋体５３が備えられており，取付け作業や取付後の調整時には，その作業を容易に行えるようにすると共に，作業完了時には防滴，防塵構造となる電子機器筐体１を構成している。
【０００９】
次に，ケース本体５１への高周波ユニットの収納について図３，４，５を用いて説明する。この高周波ユニットは本発明の実施例では３つ収納されている。この高周波ユニットは，例えばチューナー部であったり，変調部であったり，信号処理部であったり，その構成は問わない。また，本説明及び図においては，高周波ユニット間の接続についての詳細説明は省略する。
先ず，高周波ユニット６２，６１とケース本体とを係止手段６５にネジ５４，５４…で固着する。更に，高周波ユニット６１の上方側には高周波ユニット６０を固着する。
【００１０】
係止手段６５の詳細について説明する。係止手段６５はケース本体５１の係止部６５ａと高周波ユニットの係止部６５ｂとからなる。係止部６５ａはケース本体５１の側面５１ｂに，上記高周波ユニットの収納状態に応じて形成される。また，高周波ユニットの外周部には，上記ケース本体の側面５１ｂに形成された係止部６５ａに相対抗する位置に係止部６５ｂを形成されている。
係止部６５ａは，略中心に透孔６６を備えた凹部６７が形成されている。透孔６６には止着ネジ５４を挿通するのであるが，凹部６７は，上記透孔６６に止着ネジ５４を取付けたときに，そのネジ頭が側面５１ｂより外側に突出しない寸法になるように形成されている。
係止部６５ｂは，略中央に雌ネジを形成したネジ孔６３を備えた凸部６４が形成されており，このネジ孔６３と止着ネジ５４とでもってケース本体５１に高周波ユニット６０，６１，６２を収納するのである。図２にはドライバー６９等の工具を使って締付ける場合の図面を示す。６０ａは高周波ユニット６０に収納された電子回路を形成したプリント基板である。
【００１１】
この様に，高周波ユニットの収納が済んだなら，次に，プリント基板７０を設置する。このプリント基板は，上記高周波ユニットをコントロールしたり，接続端子２，４，３を介して外部との信号を送受したりするよう構成されており，必用に応じて，プリント基板全体を金属製材料形成したケースでもってシールドしたり，シールドの必要な部分だけにシールドケースを備えさせたりしても良い。
このプリント基板７０は止着ネジ７０ａ，７０ａ…でもって固着部５６，５６…に固着される。
【００１２】
次に，プリント基板の上部には，樹脂製材料などで形成された表示板５２を固着する。表示板５２には上記プリント基板７０に備えられた可変減衰器１７ｃやスイッチ３０等の操作部と相対抗する位置に操作窓５２ｂ，５２ｃが備えさせてある。そして，当該操作窓５２ｂ，５２ｃの周辺には，調整や切替にかかる説明が記されている。
【００１３】
このように組立てられたケース本体５１の，図４のＡ−Ａ線における一部破断断面図を図５に示す。本発明においては，電子回路を独立ブロック６０，６１，６２で構成し，夫々のブロック間をシールドして組み込んだケース本体５１と，当該ケース本体５１を収納する筐体５０とでもって電子機器筐体１を構成している。そして，上記筐体５０の取付け面を底面５０ａとした場合，ケース本体５１の前面５１ａ側に入力端子２，電源供給端子４，出力端子３の接続端子を敷設するよう構成され，上記前面５１ａの近傍であって，ケース本体５１の上面方向に向かって，上記高周波ユニットをコントロールしたり，切替えたりできるような調整手段や，外部との接続端子がまとめられて配置させてあり，更には接続工事や調整等を容易に行うようにすると共に，設置後の防水・防滴・防塵のために，接続端子や調整手段を覆うように蓋体５３が備えさせてある電子機器筐体１において，上記各ブロック６０，６１，６２は，当該ケース本体５１と係止手段６５によって係止されると共に，当該係止手段部分６５以外はケース本体５１の底面，上面及び上記一側面５１ａ以外の側面との間に空間を備えさせてあるように構成されている。
【００１４】
高周波ユニット６０，６１，６２とケース本体５１の側面，底面との空間の寸法は図２，３，５に示すように，係止手段を除いてＷ１，Ｗ２，Ｗ３，Ｗ４となるように構成されている。
この空間は，夫々の高周波ユニットに収納されたプリント基板とケース本体の側面及び底面との間に設けた空間となって，プリント基板に装着された電子部品から発生する熱に対する放熱効果を持たせるも為のものである。
更には，高周波ユニットの構成において表面に突起物があっても取付けに支障が出ないような構造になっている。
尚，Ｗ１，Ｗ２，Ｗ３，Ｗ４は夫々等しい長さでも良いし，夫々異なる長さとなるように配置しても良い。
【００１５】
高周波ユニットの側面に形成した係止部６５ｂの凸部６４と，ケース本体に形成した係止部６５ａの凹部６７とは，相対抗して接する構成されており，ネジ５４でもって締付けることで，上記凸部６４と凹部６７とが面で密着固定される。この結果，高周波ユニット６０，６１，６２はシールド性を損なわれること無く，ケース本体５１に固定されるのである。
尚，上記の凸部６４，凹部６７の形状は本発明の実施例に限定されるものではない。また，上記凸部６４の外面側と上記凹部６７の内面側に，ローレットを形成することで，より高周波信号に対するシールド性を向上させるよう構成しても良い。
【００１６】
【発明の効果】
以上詳述したように，請求項１の発明によれば，電子回路を複数の独立ブロックで構成し，夫々のブロック間をシールドして組み込んだケース本体と，当該ケース本体を収納するカバーとからなる電子機器筐体において，当該電子機器筐体の取付け面を底面とした場合，ケース本体の一側面側に複数の接続端子を敷設するよう構成され，上記各ブロックは，当該ケース本体と係止手段によって係止されると共に，当該係止手段部分以外はケース本体の底面，上面及び上記一側面以外の側面との間に空間を備えたので，各ブロック，即ち増幅部，変調部，信号処理部等のような高周波ユニットの外周面には，高周波信号が漏れるような透孔が形成されずに，ケース本体と係止手段を介して密着固定されるのでイミュニティーの良い電子機器筐体が提供できる。また，ケース本体の側面及び底面と上記高周波ユニットとの間に空間を有する配置の構成としたので，結局，高周波ユニットとケース本体との間に空間が生じることになり，プリント基板に装着された電子部品による発熱を効率よく放熱できる放熱効果の高い，屋外と屋内の２様に使用できる筐体を備えた電子機器筐体を提供できるのである。
【図面の簡単な説明】
【図１】本発明の電子機器筐体を構成するケース本体と当該ケース本体に収納する電子回路ブロックの配置を示す，取付け面を底面とした分解斜視図である。
【図２】電子回路ブロックを収納したケース本体の上面図であり，一部を破断した図面である。
【図３】図２における破断部分の拡大詳細図である。
【図４】本発明の電子機器筐体の外観図であり，（ａ）上面図，（ｂ）は側面図である。
【図５】図４のＡ−Ａ線一部断面図である。
【符号の説明】
１…電子機器筐体，２…入力端子，３…出力端子，４…電源供給端子，１７ｃ…可変減衰器，３０…スイッチ，５０…筐体，５０ａ…取付け面（底面），５１…ケース本体，５１ａ…前面，５１ｂ…側面，５２…表示板，５２ａ…ネジ，５２ｂ，５２ｃ…操作窓，５３…蓋体，５４…ネジ，５６…固着部，５７…固着部，６０，６１，６２…高周波ユニット，６３…ネジ孔，６４…凸部，６５…係止手段，６５ａ…ケース本体の係止部，６５ｂ…高周波ユニットの係止部，６６…透孔，６７…凹部，６９…工具，７０…プリント基板，７０ａ…ネジ，Ｗ１，Ｗ２，Ｗ３，Ｗ４…空間。
【図１】
2004335617.tif 000003
【図２】
2004335617.tif 000004
【図３】
2004335617.tif 000005
【図４】
2004335617.tif 000006
【図５】
2004335617.tif 000007